(57)【要約】【課題】  終端位置を傾斜地として２段ビーム手摺を設置したとき，その上下２段のビームの端部に傾斜角度の如何を問わずに前後Ｃ字状の端部連結部材を設置できるようにする。【解決手段】  ２段ビーム手摺Ａの支柱１に対して，上下のブラケット４とこれにそれぞれ軸支したホルダー５を介して上下２段のビーム２を階段等の傾斜地側に持ち出し状に傾斜角度自在に固定する一方，Ｃ字状の端部連結部材６の先端上下に配置した横断面Ｓ字状をなす軸支部６１を，上記ブラケット４とホルダー５の軸支間距離と同一として，ビーム２の端部に設置した終端部材３の軸支部３３に傾斜角度自在に軸支する。上下２段のビーム２が傾斜することによって上下に位置ズレを生じるが，傾斜角度を問わずに終端部材３を介した端部連結部材６の設置ができる。【選択図】  図５
2008240309.tif 000002
【特許請求の範囲】
【請求項１】
複数の支柱に設置した上下のブラケットにビーム下面の上下のホルダーをそれぞれ軸支して上下２段のビームを傾斜角度自在に配置するとともに該上下２段のビームの長手方向端部に該端部を上下に連結する前後にＣ字状の端部連結部材を配置した２段ビーム手摺であって，該端部連結部材に上記上下のブラケットと上下のホルダーの軸支間距離と同一の軸支間距離とし且つ上下方向傾斜軸支用とした先端上下の軸支部を配置し，該先端上下の軸支部に上下２段のビーム又はこれに設置した終端部材端部に形成した同じく上下方向傾斜用の軸支部をそれぞれ前後に対接軸支することによって，該上下２段のビームを傾斜地の終端位置で傾斜連結自在としてなることを特徴とする２段ビーム手摺。
【請求項２】
上記端部連結部材を，上下２段のビームを水平地の終端位置で水平連結用に兼用して上下２段のビームの長手方向端部の連結を行ってなることを特徴とする請求項１に記載の２段ビーム手摺。
【請求項３】
上記端部連結部材及びビームの長手方向端部又はこれに設置した終端部材の軸支部を，ビーム中心線位置に垂直の円弧面を配置した横断面Ｓ字状に形成し，該垂直の円弧面を相互に対接するとともにその外周側で上下方向に傾斜回動自在に嵌合してなることを特徴とする請求項１又は２に記載の２段ビーム手摺。
【請求項４】
上記端部連結部材の軸支部の軸支を，ビーム長手方向端部に設置した終端部材の軸支部に対して行うとともに該終端部材の表面にビーム終端位置の手触用サインを配置してなることを特徴とする請求項１，２又は３に記載の２段ビーム手摺。
【発明の詳細な説明】
【技術分野】
【０００１】
本発明は，公園の歩行路，公共施設の屋内外の階段や屋内廊下等に設置使用する２段ビーム手摺に関する。
【背景技術】
【０００２】
この種ビーム手摺として，本発明者は，複数の支柱に設置した上下のブラケットにビーム下面の上下のホルダーをそれぞれ軸支して上下２段のビームを傾斜角度自在に配置するとともに該上下２段のビームの長手方向端部に該端部を上下に連結する前後にＣ字状の端部連結部材を配置した２段ビーム手摺を提案済みであり，このとき該端部連結部材は，例えばビーム側に向けて水平に突出した前後一対の突片を備え，該突片を，ビームの上下中間位置に配置した水平の中間壁に載置して中間壁側からのネジによって固定して，上下２段のビームの端部を，その終端位置で連結するものとしてあり，このとき端部連結部材にはその外周表面にビーム終端位置を示す，例えばリブ状の手触用サインを配置したものとしてある。
【０００３】
【特許文献１】特願２００６−２２３３５４号
【発明の開示】
【発明が解決しようとする課題】
【０００４】
この場合，ビームを上下２段としたことによって高齢者，身体障害者等の支え歩きや伝い歩きを可能として歩行の安定性を確保したものとすることができ，上下２段のビームの長手方向端部を端部連結部材で連結することにより，ビーム端部の端部処理を行って該端部のデザインを良好として，例えば盲人や弱視者が，ビームの端部に上下２段のビームと交差するように位置する端部連結部材に触れることによって，上下２段の何れかのビームを簡易に手握りし得るようにする一方，該端部連結部材にビーム終端位置を示す手触用サインを配置したことによって，ビームの終端を容易に認知し得るようにして，盲人や弱視者の使い勝手を良好とすることができる。
【０００５】
しかし乍らこの場合，上記端部連結部材とビームの連結を，端部連結部材にビーム側に向けて水平に突出した前後一対の突片を，ビームの上下中間位置に配置した水平の中間壁に載置して中間壁側からのネジによって固定することによって行うものとしてあるから，例えば２段ビーム手摺を階段や坂道の傾斜地に設置しても，その終端位置を，傾斜地から離れた平地とする場合には，該平地の終端位置において端部連結部材をビームに設置することは可能であるが，階段や坂道の上方又は下方のように，平地に至る以前の傾斜地を終端位置とする場合には，上下２段のビームが傾斜してその端部位置がビーム長手方向にずれる結果，ビーム端部間の距離が拡大して，端部連結部材の突片間の距離と合わなくなるため，端部連結部材をビームに設置できないことになる。この種の２段ビーム手摺は，その終端を平地とするのがよいケース，傾斜地とするのがよいケースの双方があり，従って後者に対応して，傾斜地で上下２段のビームに対して端部連結部材を設置できるようにする必要がある。
【０００６】
本発明はかかる事情に鑑みてなされたもので，その解決課題とするところは，傾斜地を終端位置として，その傾斜地の傾斜によって上下２段のビームが傾斜する結果，該ビーム長手方向端部位置がずれていても，その傾斜角度の如何を問わずに，常にビームに端部連結部材を設置できるようにし，傾斜地の終端位置に対応し得る２段ビーム手摺を提供するにあり，また端部連結部材を平地の終端位置に兼用することによって平地の終端位置に対応した２段ビーム手摺を提供するにある。
【課題を解決するための手段】
【０００７】
上記課題に添って本発明は，複数の支柱に設置した上下のブラケットにビーム下面の上下のホルダーをそれぞれ軸支し，上下２段のビームを傾斜角度自在に配置したビーム手摺にあって，該上下２段のビームの傾斜角度が変化してもブラケットとホルダーの各軸支間距離は常に一定となり，これに設置する前後にＣ字状の端部連結部材を，該軸支間距離と同一の軸支間距離を有するとともに同じく傾斜角度自在に軸支するものとすれば，上下２段のビームの傾斜角度が変化しても，端部連結部材の上下先端の該軸支部は，その傾斜によって，上下２段のビームの位置ずれを吸収してこれに追従することができることから，該端部連結部材を，上下２段のビーム長手方向端部又はこれに設置した終端部材の軸支部と傾斜角度自在に軸支する軸支部を備えるとともにその軸支部の距離を，上記ブラケットとホルダーの軸支間距離と同一として，その設置をなし得るようにしたものであって，即ち請求項１に記載の発明を，複数の支柱に設置した上下のブラケットにビーム下面の上下のホルダーをそれぞれ軸支して上下２段のビームを傾斜角度自在に配置するとともに該上下２段のビームの長手方向端部に該端部を上下に連結する前後にＣ字状の端部連結部材を配置した２段ビーム手摺であって，該端部連結部材に上記上下のブラケットと上下のホルダーの軸支間距離と同一の軸支間距離とし且つ上下方向傾斜軸支用とした先端上下の軸支部を配置し，該先端上下の軸支部に上下２段のビーム又はこれに設置した終端部材端部に形成した同じく上下方向傾斜用の軸支部をそれぞれ前後に対接軸支することによって，該上下２段のビームを傾斜地の終端位置で傾斜連結自在としてなることを特徴とする２段ビーム手摺としたものである。
【０００８】
請求項２に記載の発明は，上記に加えて，該端部連結部材は，これを傾斜地の終端位置連結用とするとともにそのまま平地の終端位置連結用として使用できるから，該端部連結部材を共用部材として，傾斜地とともに水平地の連結用に兼用し，該端部連結部材を用いることによって，水平地の終端位置で水平連結した２段ビーム手摺を提供するように，これを，上記端部連結部材を，上下２段のビームを水平地の終端位置で水平連結用に兼用して上下２段のビームの長手方向端部の連結を行ってなることを特徴とする請求項１に記載の２段ビーム手摺としたものである。
【０００９】
請求項３に記載の発明は，同じく上記に加えて，上下２段のビーム長手方向端部又はこれに設置した終端部材と端部連結部材の軸支部の連結を容易になし得るとともに良好な外観を呈するものとするように，これを，上記端部連結部材及びビームの長手方向端部又はこれに設置した終端部材の軸支部を，ビーム中心線位置に垂直の円弧面を配置した横断面Ｓ字状に形成し，該垂直の円弧面を相互に対接するとともにその外周側で上下方向に傾斜回動自在に嵌合してなることを特徴とする請求項１又は２に記載の２段ビーム手摺としたものである。
【００１０】
請求項４に記載の発明は，同じく上記に加えて，端部連結部材の軸支を上記ビーム長手方向端部に設置した終端部材との間で行うとともに該終端部材に手触用サインを配置することによってビームの断面形状や端部形状を特殊のものとすることなく，ビームとの間で簡易且つ確実な連結をなし得るとともに盲人や弱視者の使い勝手を良好としたものとするように，これを，上記端部連結部材の軸支部の軸支を，ビーム長手方向端部に設置した終端部材の軸支部に対して行うとともに該終端部材の表面にビーム終端位置の手触用サインを配置してなることを特徴とする請求項１，２又は３に記載の２段ビーム手摺としたものである。
【００１１】
本発明はこれらをそれぞれ発明の要旨として，上記課題解決の手段としたものである。
【発明の効果】
【００１２】
本発明は以上のとおりに構成したから，請求項１に記載の発明は，上下２段のビームの傾斜角度が変化しても，端部連結部材の上下先端の該軸支部が，その傾斜によって，上下２段のビームの位置ずれを吸収してこれに追従して，傾斜地を終端位置とする上下２段のビームの傾斜に応じて常にビームに端部連結部材を設置できるようにし，傾斜地の終端位置に対応し得るようにした２段ビーム手摺を提供することができる。
【００１３】
請求項２に記載の発明は，上記に加えて，上記端部連結部材を平地の終端位置に兼用することによって平地の終端位置に対応した２段ビーム手摺を提供することができる。
【００１４】
請求項３に記載の発明は，同じく上記に加えて，上下２段のビーム長手方向端部又はこれに設置した終端部材と端部連結部材の軸支部の連結を連結を容易になし得るとともに良好な外観を呈するものとすることができる。
【００１５】
請求項４に記載の発明は，同じく上記に加えて，端部連結部材の軸支を上記ビーム長手方向端部に設置した終端部材との間で行うとともに該終端部材に手触用サインを配置することによってビームの断面形状や端部形状を特殊のものとすることなく，ビームとの間で簡易且つ確実な連結をなし得るとともに盲人や弱視者の使い勝手を良好としたものとすることができる。
【発明を実施するための最良の形態】
【００１６】
以下図面の例に従って本発明を更に具体的に説明すれば，Ａは２段ビーム手摺であり，該ビーム手摺Ａは，例えば公園の階段や坂道等の傾斜地に沿って配置することによって，該傾斜地を昇降するについて歩行者の支え歩き，伝い歩きをサポートするように使用するものとしてあり，このとき，該２段ビーム手摺Ａは，複数の支柱１に設置した上下のブラケット４にビーム２下面の上下のホルダー５をそれぞれ軸支して上下２段のビーム２を傾斜角度自在に配置するとともに該上下２段のビーム２の長手方向端部に該端部を上下に連結する前後にＣ字状の端部連結部材６を配置したものとしてある。
【００１７】
本例にあって支柱１は，例えばアルミ押出材等の中空バー材を用いて，その上端に中空部を閉塞するキャップを嵌着したものとしてあり，ビーム２は，例えばアルミ押出材製のビーム本体２１と，これと割型とするように配置した同じくアルミ押出材製のビームキャップ２２とによって形成するとともにその表面に軟質乃至半軟質の樹脂層を被覆することによって滑り止め層２３を備えて，断面形状を，例えば楕円乃至卵型，本例にあっては手握りに適した卵型とするようにしたものとしてある。
【００１８】
上下のブラケット４は，それぞれ，例えばアルミ鋳物等の中実にして，支柱１を被嵌するリングの支柱取付部４１からＬ字状乃至し字状に突出する上向き屈曲乃至上向き湾曲のものとして，支柱取付部４１を支柱１の側面，特にその裏板に対してネジ４２固定することによって，該支柱１から階段乃至坂道の歩行路側に上向き突出するアーム状のものとしてあり，このとき該上下のブラケット４は，それぞれその上端にその肉厚を１／２厚さに切欠き配置した断面Ｌ字状の軸支部４３を配置してあり，該上下のブラケット４は，その階段乃至坂道の歩行路側に対する突出幅を上位のブラケットで小さく，下位のブラケットで大きくして，支柱への設置状態で下位のブラケットが上位のブラケットより数ｃｍ程度突出するようにしてある。
【００１９】
ホルダー５は，上記ビーム２のビームキャップ２２を部分的に欠如し，露出したビーム本体２１の下面を下支えする受座を配置するとともに下端に上記ブラケット４の軸支部４３と対接軸支するようにこれと切欠き配置を逆にして，同じく下端の肉厚を１／２厚さとしたＬ字状の軸支部５１を備えた，例えば同じくアルミ鋳物等の中実にして，例えば階段や坂道の歩行路側から見てＶ字状をなすものとし，ビーム２及び上下のブラケット４に対して共通の部材をなすものとしてある。
【００２０】
支柱１に対する上下のブラケット４の設置は，例えばブラケット４の支柱取付部４１から支柱１に対してネジ４２を螺入して，各支柱１の上下方向２ヶ所にそれぞれ同一高さ位置とするように固定することによって行って，階段や坂道の歩行路側に向けて上向きの持ち出し状に配置してある一方，ホルダー５は，その受座にビーム本体２１を載置し，ホルダー５の，例えばビーム長手方向両端からの上向きのネジによって，上下２段の各ビーム２の長手方向に，支柱の間隔に合せてそれぞれ２ヶ所固定してある。
【００２１】
上下のブラケット４には，その軸支部４３に，上下２段のビーム２に固定した各ホルダー５の軸支部５１を前後に重合するように対接して，前後一方，例えば階段や坂道の歩行路の外側に位置するホルダー５の軸支部５１側からのネジ５２をブラケット４の軸支部４３に対して螺入して，それぞれホルダー５の対接軸支を行ってあり，このとき該ネジ５２を回動支軸とすることによって，上下のブラケット４に対して該ホルダー５が傾斜方向，即ちビーム２長手方向に首振り状に傾斜角度を可変としてあり，これによって上下２段のビーム２を，上下のブラケット４とこれに固定した各ホルダー５を介して，複数の支柱１，特に一対の支柱１に対して平行且つ長手方向に傾斜角度を自在に固定してビーム手摺Ａを構成するものとしてあり，本例にあって，その上下２段のビーム２は，上記上下のブラケット４の持ち出し突出の幅に応じて，下位のビームが上位のビームより数ｃｍ程度階段や坂道の歩行路側に突出するように前後に変位して配置したものとしてある。
【００２２】
該ビーム手摺Ａは，その階段や坂道の歩行路の傾斜地に合せた長さのものとして，その長手方向端部に位置する上下２段のビーム２が，該傾斜地の上方及び下方に位置するように設置することによって，ビーム手摺Ａの終端位置を，上方及び下方の双方においてそれぞれ傾斜地に位置するようにしてある。
【００２３】
このとき該ビーム手摺Ａにおける終端位置において，その上下２段のビーム２を上下に連結するように配置した上記端部連結部材６は，これに上記上下のブラケット４と上下のホルダー５の軸支間距離と同一の軸支間距離とし且つ上下方向傾斜軸支用とした先端上下の軸支部６１を配置し，該先端上下の軸支部６１に，本例にあって上下２段のビーム２に設置した終端部材３に形成した同じく上下方向傾斜用の軸支部３３をそれぞれ前後に対接軸支することによって，該上下２段のビーム２をその終端位置で傾斜連結したものとしてあり，本例にあって，上記端部連結部材６及びビーム２の長手方向端部に設置した終端部材３の軸支部３３を，ビーム２の中心線上位置に垂直の円弧面を配置しこれに交差する端面を該円弧面に沿って湾曲して横断面Ｓ字状を呈する形状に形成し，該垂直の円弧面を相互に対接するとともにその交差端面側で上下方向に傾斜回動自在に嵌合したものとし，また上記終端部材３の表面にビーム２終端位置の手触用サイン３４を配置したものとしてある。
【００２４】
本例の端部連結部材６は，例えばアルミ鋳物等の中実乃至厚肉中空に形成した断面円形にして前後にＣ字状をなすものとしてあり，このときその先端上下の位置を，中間で捩るようにして，上方においてビーム２側，下方において階段又は坂道の歩行路の傾斜地側とするように前後方向に変位して，上下２段のビーム２における変位に対応してその傾斜方向の連結をなし得るようにしてある。
【００２５】
このとき該端部連結部材６の軸支部６１は，上下方向傾斜軸支用として，ビーム２の中心線上に位置するように配置して，該端部連結部材６の先端上下の肉厚を１／２厚さとし且つ上記垂直の円弧面を有する横断面Ｓ字状とするように形成してあり，また該先端上下の軸支部６１は，その距離，特に軸支孔の距離を，上記ブラケットと上下のホルダーの軸支間距離と同一としてある。
【００２６】
該端部連結部材６と対接軸支するビーム２長手方向端部，本例にあっては両端部に設置した終端部材３は，同じく，例えばアルミ鋳物等の中実乃至厚肉中空に形成した断面円形にしてビーム２の長手方向端部を被嵌する被嵌部３１と，該被嵌部３１からビーム本体２１側に突設してビーム本体２１の中空部に挿入する前後一対の固定突片３２と，被嵌部３１の先端に形成した，上記端部連結部材６と対をなすように，例えば同様に垂直の円弧面を有する断面Ｓ字状，即ちビーム２の中心線上位置に垂直の円弧面を配置しこれに交差する端面を該円弧面に沿って湾曲して横断面Ｓ字状を呈する形状に形成することによって，上下方向傾斜軸支用とした軸支部３３とを備え，また本例にあって，その表面に，例えば多数のリブによる微細な凹凸を配置することによって手触用サイン３４を配置したものとしてある。該終端部材３は，その上記固定突片３２をビーム本体２１の中空部にその端部側から挿入し，該中空部の下面側からのネジによって固定して，上下２段のビーム２の長手方向両端にそれぞれ一体的に被嵌設置してある。
【００２７】
端部連結部材６は，その軸支部６１を該終端部材３の上下方向傾斜軸支用とした軸支部３３に対接して，前後一方，例えば階段や坂道の歩行路の外側に位置する終端部材３の同じく上下方向傾斜軸支用とした軸支部３３からのネジ６２を端部連結部材６の軸支部６１に螺入して，相互の対接軸支を行ってあり，このとき上記ブラケット４とホルダー５の軸支と同様に，該ネジ６２を回動支軸とすることによって，上下２段のビーム２に対して端部連結部材６が上下方向首振り状にその傾斜角度を可変とし，これによって上下２段のビーム２の傾斜角度が変化しても，端部連結部材６の上下先端の該軸支部６１が，上下２段のビーム２の位置ずれを吸収してこれに追従することができるようにして，傾斜角度の如何を問わずに端部連結部材６をビーム手摺Ａの両端に常に設置できるようにしてある。
【００２８】
即ち，上記のように形成したビーム手摺Ａにあって，上記各支柱１に対する上下のブラケット４の固定位置を，各支柱１に対してそれぞれ同一高さ位置とし且つビーム２を載置固定したホルダー５を，該同一高さ位置のブラケット４に対して軸支したことによって，その軸支間距離，即ち上下のブラケット４とこれらに固定したホルダー５の支軸位置間の距離は，各支柱１に同一となり，上下２段のビーム２は，階段や坂道の傾斜地に設置したとき，該傾斜地の角度に応じて傾斜することになる。このとき上下２段のビーム２における端部位置は，その傾斜に応じて上下２段のビームの一方が他方より長手方向に突出するようにビーム２長手方向にずれを生じるが，該端部位置のビーム２の中心を結ぶ仮想線は，上記ブラケット４とホルダー５の上下の軸支位置間を結ぶ仮想線と平行にしてこれと長さが同一となる。
【００２９】
一方，端部連結部材６は，その軸支部６１間の距離，即ち上記ビーム２の中心線上に配置した軸支部６１間の距離を，上記ブラケット４とホルダー５の軸支間距離と同一とし，また上下２段のビーム２との連結を終端部材３の軸支部３３と上下方向傾斜自在に軸支したから，端部連結部材６をビーム２長手方向に転倒するように傾斜すれば，その先端上下間の長さは上記ビーム２中心の端部位置を結ぶ仮想線の長さと常に同一になり，従って該端部連結部材６は，上下２段のビーム２の傾斜角度に追従してその端部を連結することができるとともに該上下２段のビーム２の一般的な傾斜角度に常に対応し得るようにしてある。このとき本例の端部連結部材６は，例えば０±３５度の傾斜を想定し，一般的な傾斜角度を超える最大３５度以下の，例えば３０度の傾斜地にビーム手摺Ａを設置したときにも，これに対応してその上下２段のビーム２端部を連結して，該端部に設置し得るようにしたものとしてある。
【００３０】
以上のように終端位置を傾斜地に位置するように傾斜地に設置し，上下２段のビーム２の終端部材３を端部連結部材６で連結したビーム手摺Ａは，傾斜地の傾斜によってその上下２段のビーム２が傾斜する結果，該ビーム長手方向端部位置がずれても，端部連結部材６がこれに追従することによって常に終端部材３との連結を行うことができ，また該端部連結部材６による上下２段のビーム２の連結によって，ビーム手摺Ａの端部処理を行って，そのデザインを良好なものとすることができ，また端部連結部材６とビーム２の終端部材３の軸支部６１，３３を，ビーム中心線位置に垂直の円弧面を配置した横断面Ｓ字状に形成したことによって，端部連結部材６と終端部材３の軸支部６１，３３の連結を容易になし得るとともに良好な外観を呈するものとすることができる。更に本例にあってビーム２の断面形状を卵型としたことによって，歩行者の手の角度に無理なく馴染んで歩行者が握り易く，支え歩きに際して，身体の荷重を支えて荷重負担を軽減し，握り手の奥行方向への回転を防止し，伝い歩きに際して，同様に身体の揺動による握り手の回動を防止し，躓き等に対しても身体を確実に支持することによって，歩行者の安定した手握りとこれによる安定した歩行を可能としてある。
【００３１】
図示した例は以上の通りとしたが，端部連結部材とビーム長手方向端部又は終端部材の軸支を，上下方向傾斜軸支用の軸支部を軸支して行うことによって，特に傾斜角度を規制する措置を施さない限り，その傾斜角度は０度，即ち水平状態の連結が可能となるから，端部連結部材は，これを傾斜地及び平地の終端位置兼用のものとして使用することができ，従って２段ビーム手摺を，その端部連結部材を，上下２段のビームを水平地の終端位置で水平連結用に兼用して上下２段のビームの長手方向端部の連結を行ったものとして構成することができる。更に端部連結部材による上下２段のビームの連結を，上記終端部材を用いることなく，該上下２段のビーム長手方向端部において行うようにすること，このとき，例えば，該ビーム本体の中空部に嵌挿固定した同様に上下方向傾斜軸支用の軸支部を該ビームから露出するように配置した連結部材を用いて連結するものとすること，手触用サインを終端位置に配置するとき，その配置を端部連結部材に対して行うようにすること等を含めて，本発明の実施に当って，２段ビーム手摺，支柱，ビーム，ブラケット，ホルダー，端部連結部材，軸支部，必要に応じて用いる手触用サイン等の各具体的形状，構造，材質，これらの関係，これらに対する付加等は，上記発明の要旨に反しない限り様々の形態のものとすることができる。
【図面の簡単な説明】
【００３２】
【図１】２段ビーム手摺の設置状態を示す正面図である。
【図２】２段ビーム手摺の中間を省略した一部切欠き正面図である。
【図３】２段ビーム手摺のビームと端部連結部材の関係を示す一部切欠き平面図である。
【図４】ビームの設置状態を示す縦断面図である。
【図５】図２の部分拡大図である。
【図６】図３の部分拡大図である。
【符号の説明】
【００３３】
Ａ    ２段ビーム手摺
１    支柱
２    ビーム
２１  ビーム本体
２２  ビームキャップ
２３  滑り止め層
３    終端部材
３１  被嵌部
３２  固定突片
３３  軸支部
３４  手触用サイン
４    ブラケット
４１  支柱取付部
４２  ネジ
４３  軸支部
５    ホルダー
５１  軸支部
５２  ネジ
６    端部連結部材
６１  軸支部
６２  ネジ
【図１】
2008240309.tif 000003
【図２】
2008240309.tif 000004
【図３】
2008240309.tif 000005
【図４】
2008240309.tif 000006
【図５】
2008240309.tif 000007
【図６】
2008240309.tif 000008